(57)【特許請求の範囲】
【請求項１】
複数のセルを介して移動局に同一情報を送信する移動通信システムであって、
前記移動局において、前記複数のセルを介して同一情報を受信するための受信方法選択情報に基づいて、受信した前記同一情報に対して、最大比合成を行うか又は選択合成を行うかについて判定することを特徴とする移動通信システム。
【請求項２】
複数のセルを介して移動局に同一情報を送信する移動通信システムであって、
前記移動局において、前記複数のセルを介して同一情報を受信するための受信方法選択情報に基づいて、受信した前記同一情報に対して、最大比合成を行うか、選択合成を行うか、又は合成処理を行わないかについて判定することを特徴とする移動通信システム。
【請求項３】
複数のセルを介して送信された同一情報を受信するための受信方法選択情報を取得する受信方法選択情報取得部と、
前記受信方法選択情報に基づいて、受信した前記同一情報に対して最大比合成を行うか又は選択合成を行うかについて判定する判定部とを具備することを特徴とする移動局。
【請求項４】
前記判定部は、前記受信方法選択情報に基づいて、受信した前記同一情報に対して、最大比合成を行うか、選択合成を行うか、又は合成処理を行わないかについて判定することを特徴とする請求項３に記載の移動局。
【請求項５】
前記受信方法選択情報取得部は、ネットワーク又は基地局から、最大比合成又は選択合成を示す受信方法指示情報を受信し、
前記判定部は、前記受信方法指示情報に基づいて前記判定を行うことを特徴とする請求項３に記載の移動局。
【請求項６】
前記受信方法選択情報取得部は、前記受信方法選択情報として、前記複数のセルから該複数のセルの送信タイミング情報をそれぞれ受信し、
受信した前記複数の送信タイミング情報に基づいて、前記複数のセルの送信タイミング差を測定する送信タイミング差測定部を更に具備し、
前記判定部は、前記送信タイミング差に基づいて前記判定を行うことを特徴とする請求項３に記載の移動局。
【請求項７】
前記受信方法選択情報取得部は、前記受信方法選択情報として、ネットワーク又は基地局から、複数のセル間の送信タイミング差を受信し、
前記判定部は、前記送信タイミング差に基づいて前記判定を行うことを特徴とする請求項３に記載の移動局。
【請求項８】
無線制御装置は、前記受信方法選択情報として、前記移動局が在圏する在圏セルの隣接セルにおいてブロードキャストサービス又はマルチキャストサービスが提供可能であるか否かについての情報を含む制御情報を報知することを特徴とする請求項１に記載の移動通信システム。
【請求項９】
複数のセルを介して移動局に同一情報を送信する移動通信システムにおいて用いられる無線制御装置であって、
前記移動局が在圏する在圏セルの隣接セルにおいてブロードキャストサービス又はマルチキャストサービスが提供可能であるか否かについて判断する判断部と、
前記移動局において前記同一情報を受信するための受信方法選択情報として、前記判断結果を含む制御情報を報知する報知部とを具備することを特徴とする無線制御装置。
【請求項１０】
前記報知部は、前記受信方法選択情報として、ブロードキャストサービス又はマルチキャストサービスが提供可能である前記隣接セルに係る制御情報のみを報知することを特徴とする請求項９に記載の無線制御装置。
【請求項１１】
前記制御情報は、前記隣接セルで用いられる無線チャネルに係るチャネル情報を含むことを特徴とする請求項９に記載の無線制御装置。
【請求項１２】
前記報知部は、前記受信方法選択情報として、ブロードキャストサービス又はマルチキャストサービスが提供可能である前記隣接セルの送信タイミングと前記在圏セルの送信タイミングとの差を送信することを特徴とする請求項９に記載の無線制御装置。
【請求項１３】
前記受信方法選択情報に基づいて、前記移動局において受信した前記同一情報に対して最大比合成を行うか又は選択合成を行うかについて指示する受信方法指示部を具備することを特徴とする請求項９に記載の無線制御装置。
【請求項１４】
前記受信方法選択情報取得部は、前記受信方法選択情報として、該記移動局が在圏する在圏セルの隣接セルにおいてブロードキャストサービス又はマルチキャストサービスが提供可能であるか否かについての情報を含む制御情報を取得し、
前記判定部は、前記制御情報に基づいて前記判定を行うことを特徴とする請求項３に記載の移動局。
【請求項１５】
前記制御情報は、前記隣接セルで用いられる無線チャネルに係るチャネル情報を含むことを特徴とする請求項１４に記載の移動局。
【請求項１６】
前記受信方法選択情報取得部は、前記受信方法選択情報として、ブロードキャストサービス又はマルチキャストサービスが提供可能である前記隣接セルの送信タイミングと前記在圏セルの送信タイミングとの差を取得し、
前記判定部は、前記制御情報及び前記送信タイミング差に基づいて前記判定を行うことを特徴とする請求項１４に記載の移動局。
【請求項１７】
前記判定部は、ブロードキャストサービス又はマルチキャストサービスが提供可能である前記隣接セルから受信した同一情報に対して前記判定を行うことを特徴とする請求項１４に記載の移動局。
【請求項１８】
送信タイミング差と前記同一情報についての合成方法とを関連付けて記憶する記憶部を具備し、
前記判定部は、受信した前記送信タイミング差に関連付けられている前記合成方法に基づいて前記判定を行うことを特徴とする請求項７に記載の移動局。
【請求項１９】
送信タイミング差と移動局の処理能力と前記同一情報についての合成方法とを関連付けて記憶する記憶部を具備し、
前記判定部は、受信した前記送信タイミング差及び前記移動局の処理能力に関連付けられている前記合成方法に基づいて前記判定を行うことを特徴とする請求項７に記載の移動局。
【請求項２０】
前記判定部は、受信した前記送信タイミング差が第１の範囲内の値である場合、前記複数のセルで用いられる無線チャネルの受信品質に対応する設定された全ての信頼度情報を用いて、受信した前記同一情報に対して最大比合成を行うように判定することを特徴とする請求項７に記載の移動局。
【請求項２１】
前記判定部は、受信した前記送信タイミング差が第２の範囲内の値である場合、前記複数のセルで用いられる無線チャネルの受信品質に対応する設定された信頼度情報の内の一部を比較して、受信した前記同一情報に対して選択合成を行う用に判定することを特徴とする請求項７に記載の移動局。
【請求項２２】
複数のセルを介して移動局に同一情報を送信する移動通信システムにおいて用いられる無線制御装置であって、
前記複数のセル間の送信タイミング差に基づいて、前記移動局において受信した前記同一情報に対して、最大比合成を行うか又は選択合成を行うかについて指示する受信方法指示部を具備することを特徴とする無線制御装置。
【請求項２３】
前記受信方法指示部は、前記複数のセル間の送信タイミング差及び前記移動局の処理能力に基づいて前記指示を行うことを特徴とする請求項２２に記載の無線制御装置。
【発明の詳細な説明】
【技術分野】
【０００１】  本発明は、複数のセルを介して移動局に同一情報を送信する移動通信システム、移動局及び無線制御装置に関する。
【背景技術】
【０００２】  従来のＰＤＣ（Ｐｅｒｓｏｎａｌ  Ｄｉｇｉｔａｌ  Ｃｅｌｌｕｌａｒ）等の第２世代移動通信システムでは、移動局が、通信中にセル間を移動する際、ハンドオーバ元セルとの間の通信チャネルを解放した後に、ハンドオーバ先セルとの間の通信チャネルを設定するハンドオーバ方式（ハードハンドオーバ方式）が採用されていた。【０００３】  一方、従来のＣＤＭＡ移動通信システムでは、移動局が、通信中にセル間を移動する際、ハンドオーバ元セルとの間の通信チャネルを解放する前に、ハンドオーバ先セルとの間の通信チャネルを設定するハンドオーバ方式（ダイバーシチハンドオーバ方式）が採用されている。【０００４】  なお、本明細書では、基地局は、１つのセルを管理するように構成されていてもよいし、複数のセルを管理するように構成されていてもよい。【０００５】  かかるダイバーシチハンドオーバ方式では、移動局は、セルの境界付近の所定領域において、複数のセルとの間の複数の通信チャネルを同時に設定して通信を行うように構成されている。【０００６】  図１（ａ）乃至（ｄ）に、かかるダイバーシチハンドオーバ方式における情報の伝送方法を示す。図１（ａ）乃至（ｄ）に示すように、複数の情報の伝送方法が知られている。【０００７】  図１（ａ）に示すダイバーシチハンドオーバ方式における上り方向の情報の伝送方法では、基地局ＢＴＳが、複数のセルで移動局ＭＳからの情報を受信して、受信した複数の情報を最大比合成（ｓｏｆｔ  ｃｏｍｂｉｎｉｎｇ）して無線制御装置ＲＮＣに送信する。【０００８】  一方、図１（ｂ）に示すダイバーシチハンドオーバ方式における上り方向の情報の伝送方法では、複数の基地局ＢＴＳ１及びＢＴＳ２の各々が、自身が管理するセルで移動局ＭＳからの情報を受信して、受信した複数の情報と共に、受信品質に対応した信頼度情報（受信電力や受信ＳＩＲや受信誤り率やＣＲＣチェック結果等）を併せて無線制御装置ＲＮＣに送信する。無線制御装置ＲＮＣは、各基地局ＢＴＳ１及びＢＴＳ２からの信頼度情報に基づいて、各基地局ＢＴＳ１及びＢＴＳ２からの情報のうち、最も信頼性の高い情報を選択する選択合成（ｓｅｌｅｃｔｉｖｅ  ｃｏｍｂｉｎｉｎｇ）を行い、選択合成後の情報を上位局（図示せず）に送信する。【０００９】  また、図１（ｃ）に示すダイバーシチハンドオーバ方式における下り方向の情報の伝送方法では、基地局ＢＴＳが、無線基地局ＲＮＣからの情報を分配して複数のセル宛てに同一情報を送信する。移動局ＭＳは、複数のセルを介して同一情報を受信して最大比合成を行う。【００１０】  一方、図１（ｄ）に示すダイバーシチハンドオーバ方式における下り方向の情報の伝送方法では、無線基地局ＲＮＣが、上位局からの情報を分配して複数の基地局ＢＴＳ１及びＢＴＳ２宛てに同一情報を送信する。移動局ＭＳは、複数のセル（基地局ＢＴＳ１及びＢＴＳ２）からの同一情報を受信して最大比合成を行う。【００１１】  また、従来の移動通信システムにおいて、図２に示すように、１つ又は複数の基地局ＢＴＳが、所定セル内の不特定多数の移動局ＭＳに対して同一情報を一斉に送信するブロードキャスト（Ｂｒｏａｄｃａｓｔ）通信が知られている（例えば、非特許文献１参照��。【００１２】  さらに、従来の移動通信システムにおいて、図３に示すように、特定グループに属している複数の移動局ＭＳに対して同一情報を送信するマルチキャスト（Ｍｕｌｔｉｃａｓｔ）通信が知られている（例えば、非特許文献２参照）。【００１３】  かかるブロードキャスト通信やマルチキャスト通信では、移動局ＭＳにおいてセル間移動に起因する受信情報の重複や欠損を軽減するために、複数のセル間でタイミング同期を取って同一情報を送信する方法が考えられている
【非特許文献１】
▲３ｒｄ▼Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ著，２３．０４１  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ（ＣＢＳ），２０００年１０月
【非特許文献２】
▲３ｒｄ▼Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著，２５．３２４  Ｂｒｏａｄｃａｓｔ／Ｍｕｌｔｉｃａｓｔ  Ｃｏｎｔｒｏｌ  ＢＭＣ，２０００年１２月
しかしながら、上述のような従来の移動通信システムでは、移動局ＭＳが、複数のセルからの同一情報の送信に係るタイミング同期の精度又は情報の受信方法（例えば、最大比合成、選択合成、又は合成処理なし）を確認することができず、最適な情報の受信方法を選択することができないため、移動局ＭＳにおける受信品質の劣化に伴う基地局ＢＴＳの送信電力の増加又は移動局ＭＳにおける受信情報の重複又は欠損が発生するという問題点があった。【００１４】  そこで、本発明は、以上の点に鑑みてなされたもので、ブロードキャスト通信やマルチキャスト通信において、基地局ＢＴＳの送信電力の増加又は移動局ＭＳにおける受信情報の重複又は欠損を回避するように、移動局ＭＳにおける情報の受信方法を選択することを可能とする移動通信システム、移動局及び無線制御装置を提供することを目的とする。
【発明の開示】
【００１５】  本発明の第１の特徴は、複数のセルを介して移動局に同一情報を送信する移動通信システムであって、前記移動局において、前記複数のセルを介して同一情報を受信するための受信方法選択情報に基づいて、受信した前記同一情報に対して、最大比合成を行うか又は選択合成を行うかについて判定することを要旨とする。
【００１６】  本発明の第１の特徴において、無線制御装置が、前記受信方法選択情報として、前記移動局が在圏する在圏セルの隣接セルにおいてブロードキャストサービス又はマルチキャストサービスが提供可能であるか否かについての情報を含む制御情報を報知するように構成されていてもよい。
【００１７】  本発明の第２の特徴は、複数のセルを介して移動局に同一情報を送信する移動通信システムであって、前記移動局において、前記複数のセルを介して同一情報を受信するための受信方法選択情報に基づいて、受信した前記同一情報に対して、最大比合成を行うか、選択合成を行うか、又は合成処理を行わないかについて判定することを要旨とする。
【００１８】  本発明の第３の特徴は、複数のセルを介して送信された同一情報を受信するための受信方法選択情報を取得する受信方法選択情報取得部と、前記受信方法選択情報に基づいて、受信した前記同一情報に対して最大比合成を行うか又は選択合成を行うかについて判定する判定部とを具備することを要旨とする。
【００１９】  本発明の第３の特徴において、前記判定部が、前記受信方法選択情報に基づいて、受信した前記同一情報に対して、最大比合成を行うか、選択合成を行うか、又は合成処理を行わないかについて判定するように構成されていてもよい。
【００２０】  本発明の第３の特徴において、前記受信方法選択情報取得部が、ネットワーク又は基地局から、最大比合成又は選択合成を示す受信方法指示情報を受信し、前記判定部が、前記受信方法指示情報に基づいて前記判定を行うように構成されていてもよい。
【００２１】  本発明の第３の特徴において、前記受信方法選択情報取得部が、前記受信方法選択情報として、前記複数のセルから該複数のセルの送信タイミング情報をそれぞれ受信し、受信した前記複数の送信タイミング情報に基づいて、前記複数のセルの送信タイミング差を測定する送信タイミング差測定部を更に具備し、前記判定部が、前記送信タイミング差に基づいて前記判定を行うように構成されていてもよい。
【００２２】  本発明の第３の特徴において、前記受信方法選択情報取得部が、前記受信方法選択情報として、ネットワーク又は基地局から、複数のセル間の送信タイミング差を受信し、前記判定部が、前記送信タイミング差に基づいて前記判定を行うように構成されていてもよい。
【００２３】  本発明の第３の特徴において、前記受信方法選択情報取得部が、前記受信方法選択情報として、該記移動局が在圏する在圏セルの隣接セルにおいてブロードキャストサービス又はマルチキャストサービスが提供可能であるか否かについての情報を含む制御情報を取得し、前記判定部が、前記制御情報に基づいて前記判定を行うように構成されていてもよい。
【００２４】  本発明の第３の特徴において、前記制御情報が、前記隣接セルで用いられる無線チャネルに係るチャネル情報を含むように構成されていてもよい。
【００２５】  本発明の第３の特徴において、前記受信方法選択情報取得部が、前記受信方法選択情報として、ブロードキャストサービス又はマルチキャストサービスが提供可能である前記隣接セルの送信タイミングと前記在圏セルの送信タイミングとの差を取得し、前記判定部が、前記制御情報及び前記送信タイミング差に基づいて前記判定を行うように構成されていてもよい。
【００２６】  本発明の第３の特徴において、前記判定部が、ブロードキャストサービス又はマルチキャストサービスが提供可能である前記隣接セルから受信した同一情報に対して前記判定を行うように構成されていてもよい。
【００２７】  本発明の第３の特徴において、送信タイミング差と前記同一情報についての合成方法とを関連付けて記憶する記憶部を具備し、前記判定部が、受信した前記送信タイミング差に関連付けられている前記合成方法に基づいて前記判定を行うように構成されていてもよい。
【００２８】  本発明の第３の特徴において、送信タイミング差と移動局の処理能力と前記同一情報についての合成方法とを関連付けて記憶する記憶部を具備し、前記判定部は、受信した前記送信タイミング差及び前記移動局の処理能力に関連付けられている前記合成方法に基づいて前記判定を行うように構成されていてもよい。
【００２９】  本発明の第３の特徴において、前記判定部が、受信した前記送信タイミング差が第１の範囲内の値である場合、前記複数のセルで用いられる無線チャネルの受信品質に対応する設定された全ての信頼度情報を用いて、受信した前記同一情報に対して最大比合成を行うように判定するように構成されていてもよい。
【００３０】  本発明の第３の特徴において、前記判定部が、受信した前記送信タイミング差が第２の範囲内の値である場合、前記複数のセルで用いられる無線チャネルの受信品質に対応する設定された信頼度情報の内の一部を比較して、受信した前記同一情報に対して選択合成を行う用に判定するように構成されていてもよい。
【００３１】  本発明の第４の特徴は、複数のセルを介して移動局に同一情報を送信する移動通信システムにおいて用いられる無線制御装置であって、前記移動局が在圏する在圏セルの隣接セルにおいてブロードキャストサービス又はマルチキャストサービスが提供可能であるか否かについて判断する判断部と、前記移動局において前記同一情報を受信するための受信方法選択情報として、前記判断結果を含む制御情報を報知する報知部とを具備することを要旨とする。
【００３２】  本発明の第４の特徴において、前記報知部が、前記受信方法選択情報として、ブロードキャストサービス又はマルチキャストサービスが提供可能である前記隣接セルに係る制御情報のみを報知するように構成されていてもよい。
【００３３】  本発明の第４の特徴において、前記制御情報が、前記隣接セルで用いられる無線チャネルに係るチャネル情報を含むように構成されていてもよい。
【００３４】  本発明の第４の特徴において、前記報知部が、前記受信方法選択情報として、ブロードキャストサービス又はマルチキャストサービスが提供可能である前記隣接セルの送信タイミングと前記在圏セルの送信タイミングとの差を送信するように構成されていてもよい。
【００３５】  本発明の第４の特徴において、前記受信方法選択情報に基づいて、前記移動局において受信した前記同一情報に対して最大比合成を行うか又は選択合成を行うかについて指示する受信方法指示部を具備するように構成されていてもよい。
【００３６】  本発明の第５の特徴は、複数のセルを介して移動局に同一情報を送信する移動通信システムにおいて用いられる無線制御装置であって、前記複数のセル間の送信タイミング差に基づいて、前記移動局において受信した前記同一情報に対して、最大比合成を行うか又は選択合成を行うかについて指示する受信方法指示部を具備することを要旨とする。
【００３７】  本発明の第５の特徴において、前記受信方法指示部が、前記複数のセル間の送信タイミング差及び前記移動局の処理能力に基づいて前記指示を行う用に構成されていてもよい。
【図面の簡単な説明】
【００３８】
【図１】図１（ａ）乃至（ｄ）は、従来技術に係るダイバーシチハンドオーバ方式における情報の伝送方法を説明するための図である。
【図２】図２は、従来技術に係るブロードキャスト通信を説明するための図である。
【図３】図３は、従来技術に係るマルチキャスト通信を説明するための図である。
【図４】図４は、本発明に係る移動通信システムの全体構成図である。
【図５】図５は、本発明の第１の実施形態に係る移動局の機能ブロック図である。
【図６】図６は、本発明の第１の実施形態に係る移動通信システムの動作を示すシーケンス図である。
【図７】図７は、本発明の第２の実施形態に係る移動局の機能ブロック図である。
【図８】図８は、本発明の第２の実施形態に係る移動通信システムの動作を示すシーケンス図である。
【図９】図９は、本発明の第３の実施形態に係る移動局の機能ブロック図である。
【図１０】図１０は、本発明の第３の実施形態に係る移動通信システムの動作を示すシーケンス図である。
【図１１】図１１は、本発明の第４の実施形態に係る無線制御装置の機能ブロック図である。
【図１２】図１２は、本発明の第４の実施形態に係る移動局の機能ブロック図である。
【図１３】図１３は、本発明の第４の実施形態に係る移動通信システムの動作を示すシーケンス図である。
【図１４】図１４は、本発明の第５の実施形態に係る無線制御装置の機能ブロック図である。
【発明を実施するための最良の形態】
【００３９】（本発明の第１の実施形態に係る移動通信システム）
図４に、本発明の第１の実施形態に係る移動通信システムの全体構成図を示す。本実施形態に係る移動通信システムは、図４に示すように、無線制御装置ＲＮＣの配下に、２つの基地局ＢＴＳ１及びＢＴＳ２を具備している。【００４０】  また、移動局ＭＳが、基地局ＢＴＳ１により管理されているセル１から基地局ＢＴＳ２により管理されているセル２に移動する場合、又は、セル１及びセル２の信号を受信可能な領域にいる場合、基地局ＢＴＳ１と基地局ＢＴＳ２との間でダイバーシチハンドオーバを行っているものとする。また、移動局ＭＳは、本実施形態に係る移動通信システムにおいて、ブロードキャスト通信又はマルチキャスト通信を行っているものとする。【００４１】  なお、以下、本明細書では、２つの基地局ＢＴＳ１及びＢＴＳ２に注目して説明するが、本実施形態に係る移動通信システムは、他の基地局ＢＴＳが複数存在する場合であっても同様に機能する。【００４２】  図５に、本実施形態に係る移動通信システムで用いて好適な移動局ＭＳの機能ブロックを示す。移動局ＭＳは、図５に示すように、受信方法指示情報受信部１１と、受信方法判定部１２と、受信合成部１３とを具備している。【００４３】  受信方法指示情報受信部１１は、複数のセル１及びセル２を介して送信された同一情報（ブロードキャストデータ又はマルチキャストデータ）を受信するための受信方法選択情報を取得するものである。【００４４】  具体的には、受信方法指示情報受信部１１は、ネットワーク（無線制御装置ＲＮＣ又はその上位局）或いは基地局ＢＴＳ１又はＢＴＳ２から、最大比合成又は選択合成を示す受信方法指示情報（受信方法選択情報）を受信するものである。【００４５】  なお、受信方法指示情報は、最大比合成、選択合成又は合成処理なしのいずれかを示すように構成されていてもよい。【００４６】  受信方法指示情報受信部１１は、ネットワーク（無線制御装置ＲＮＣ又はその上位局）或いは基地局ＢＴＳ１又はＢＴＳ２から受信方法指示情報が送信されるのを待つように構成されていてもよいし、自発的にネットワーク（無線制御装置ＲＮＣ又はその上位局）或いは基地局ＢＴＳ１又はＢＴＳ２から受信方法指示情報を取得するように構成されていてもよい。【００４７】  受信方法判定部１２は、上述の受信方法指示情報に基づいて、受信した同一情報に対して、最大比合成を行うべきか或いは選択合成を行うべきかについて判定するものである。【００４８】  具体的には、受信方法判定部１２は、上述の受信方法指示情報が「最大比合成」を示す場合、受信した同一情報に対して最大比合成を行うように判定し、上述の受信方法指示情報が「選択合成」を示す場合、受信した同一情報に対して選択合成を行うように判定する。【００４９】  また、受信方法判定部１２は、上述の受信方法指示情報に基づいて、受信した同一情報に対して、最大比合成を行うべきか、選択合成を行うべきか、或いは合成処理を行わないべきかについて判定するように構成されていてもよい。【００５０】  かかる場合、受信方法判定部１２は、上述の受信方法指示情報が「最大比合成」を示す場合、受信した同一情報に対して最大比合成を行うように判定し、上述の受信方法指示情報が「選択合成」を示��場合、受信した同一情報に対して選択合成を行うように判定し、上述の受信方法指示情報が「合成処理なし」を示す場合、受信した同一情報に対して合成処理を行わないように判定する。【００５１】  なお、受信方法判定部１２は、複数の受信方法指示情報を受信した場合、所定の基準に従って特定の受信方法指示情報を選択し、選択された受信方法指示情報に基づいて、上述の判定を行うように構成されていてもよい。【００５２】  受信合成部１３は、受信方法判定部１２による判定結果に基づいて、受信した同一情報に対して、最大比合成又は選択合成を行う（又は、合成処理を行わない）ように構成されている。【００５３】  図６を参照して、本実施形態に係る移動通信システムにおいて、移動局ＭＳが複数のセルを介して送信された同一情報についての受信処理を行う場合の動作を説明する。【００５４】  ステップ３０１において、ネットワーク（無線制御装置ＲＮＣ又はその上位局）或いは所定の基地局ＢＴＳ（例えば、基地局ＢＴＳ１又はＢＴＳ２であってもよいし、その他の基地局ＢＴＳであってもよい）が、所定のタイミングで、上述の受信方法指示情報を移動局ＭＳに送信する。ネットワーク（無線制御装置ＲＮＣ又はその上位局）或いは所定の基地局ＢＴＳは、同一情報を送信する度に、上述の受信方法指示情報を移動局ＭＳに送信してもよい。【００５５】  ステップ３０２において、移動局ＭＳの受信方法判定部１２が、受信方法指示情報受信部１１により受信された受信方法指示情報に基づいて、受信した同一情報に対して、最大比合成を行うべきか、選択合成を行うべきか、或いは合成処理を行わないべきかについて判定する。【００５６】  ステップ３０３において、移動局ＭＳの受信合成部１３が、受信方法判定部１２による判定結果に基づいて、受信した同一情報に対して、最大比合成又は選択合成を行う（或いは、合成処理を行わない）。【００５７】  本実施形態に係る移動通信システムによれば、受信合成部１３が、ネットワーク（無線制御装置ＲＮＣ又はその上位局）又は所定の基地局ＢＴＳから送信された受信方法指示情報に基づいて、同一情報に対して、最大比合成又は選択合成を行う（又は、合成処理を行わない）ため、移動局ＭＳが、セル間を移動する場合、又は、複数のセルの信号を受信可能な領域にいる場合であっても最適な情報の受信方法を選択することができる。【００５８】（本発明の第２の実施形態に係る移動通信システム）
図７及び図８を参照して、本発明の第２の実施形態に係る移動通信システムについて説明する。以下、本実施形態に係る移動通信システムについて、上述の第１の実施形態に係る移動通信システムとの相違点を主として説明する。【００５９】  図７に示すように、本実施形態に係る移動通信システムで用いて好適な移動局ＭＳの構成は、送信タイミング情報取得部１４及び送信タイミング差測定部１５を具備する点で、第１の実施形態に係る移動通信システム用いて好適な移動局ＭＳの構成と相違する。なお、移動局ＭＳは、受信方法指示情報受信部１１を具備するように構成されていてもよいし、受信方法指示情報受信部１１を具備しないように構成されていてもよい。【００６０】  送信タイミング情報取得部１４は、複数のセル１及びセル２を介して送信された同一情報（ブロードキャストデータ又はマルチキャストデータ）を受信するための受信方法選択情報を取得するものである。【００６１】  具体的には、送信タイミング情報取得部１４は、複数の基地局ＢＴＳ１及びＢＴＳ２から、複数のセル１（基地局ＢＴＳ１）及びセル２（基地局ＢＴＳ２）の送信タイミング情報（受信方法選択情報）をそれぞれ受信する。【００６２】  例えば、送信タイミング情報は、ブロードキャストデータ又はマルチキャストデータ（ＭＢＭＳのサービス情報）が各セルにおいて送信される絶対時間情報（例えば、１７時００分００秒）や、ブロードキャストデータ又はマルチキャストデータの送信が開始されるフレーム情報によって構成されている。【００６３】  なお、フレーム情報には、フレーム番号（ＳＦＮ：Ｓｙｓｔｅｍ  Ｆｒａｍｅ  Ｎｕｍｂｅｒ、ＣＦＮ：Ｃｏｎｎｃｅｔｉｏｎ  Ｆｒａｍｅ  Ｎｕｍｂｅｒ）と、タイムスロット数又はチップ数とが含まれる。例えば、フレーム情報は、ＳＦＮ＃１００から２スロット（２５６チップ）遅れた時点という情報を含む。【００６４】  なお、送信タイミング情報取得部１４は、複数の基地局ＢＴＳ１及びＢＴＳ２から送信タイミング情報が送信されるのを待つように構成されていてもよいし、自発的に複数の基地局ＢＴＳ１及びＢＴＳ２から受信方法指示情報を取得するように構成されていてもよい。【００６５】  送信タイミング差測定部１５は、送信タイミング情報取得部１４によって受信した複数の送信タイミング情報に基づいて、複数の基地局ＢＴＳ１及びＢＴＳ２の送信タイミング差を測定するものである。【００６６】  なお、受信方法判定部１２は、上述の送信タイミング差に基づいて、受信した同一情報に対して、最大比合成を行うべきか、選択合成を行うべきか、或いは合成処理を行わないべきかについて判定する。【００６７】  例えば、受信方法判定部１２は、送信タイミング差が閾値Ｔｈ１より小さい場合（第１の範囲内の値である場合）、受信した同一情報に対して最大比合成を行うように判定し、送信タイミング差が閾値Ｔｈ１以上で閾値Ｔｈ２より小さい場合（第２の範囲内の値である場合）、受信した同一情報に対して選択合成を行うように判定し、その他の場合、受信した同一情報に対して合成処理を行わないように判定する。【００６８】  図８を参照して、本実施形態に係る移動通信システムにおいて、移動局ＭＳが複数のセルを介して��信された同一情報についての受信処理を行う場合の動作を説明する。【００６９】  ステップ５０１において、複数の基地局ＢＴＳ１及びＢＴＳ２の各々が、所定のタイミングで、複数のセル１（基地局ＢＴＳ１）及びセル２（基地局ＢＴＳ２）の送信タイミング情報を移動局ＭＳに送信する。複数の基地局ＢＴＳ１及びＢＴＳ２は、同一情報を送信する度に、上述の送信タイミング情報を移動局ＭＳに送信してもよい。【００７０】  ステップ５０２において、移動局ＭＳの送信タイミング情報取得部１４により受信された複数の送信タイミング情報に基づいて、複数のセル１（基地局ＢＴＳ１）及びセル２（基地局ＢＴＳ２）の送信タイミング差を測定する。【００７１】  ステップ５０３において、移動局ＭＳの受信方法判定部１２が、送信タイミング情報取得部１４により測定された複数のセル１（基地局ＢＴＳ１）及びセル２（基地局ＢＴＳ２）の送信タイミング差に基づいて、受信した同一情報に対して、最大比合成を行うべきか、選択合成を行うべきか、或いは合成処理を行わないかについて判定する。【００７２】  ステップ５０４において、移動局ＭＳの受信合成部１３が、受信方法判定部１２による判定結果に基づいて、受信した同一情報に対して、最大比合成又は選択合成を行う（或いは、合成処理を行わない）。【００７３】  本実施形態に係る移動通信システムによれば、受信合成部１３が、複数の基地局ＢＴＳ１及びＢＴＳ２から送信された送信タイミング情報に基づいて、複数のセル１（基地局ＢＴＳ１）及びセル２（基地局ＢＴＳ２）の送信タイミング差を測定し、測定した送信タイミング差に基づいて、同一情報に対して、最大比合成又は選択合成を行う（或いは、合成処理を行わない）ため、移動局ＭＳが、セル間を移動する場合、又は、複数のセルの信号を受信可能な領域にいる場合であっても最適な情報の受信方法を選択することができる。【００７４】  具体的には、同一情報に対して最大比合成を行う場合、同一情報に対して選択合成を行う場合や合成処理を行わない場合と比べて、移動局ＵＥのメモリ容量や複数のセル間の同期に対して厳しい要求条件が課せられる。【００７５】  したがって、移動局ＵＥは、複数のセル間の送信タイミング差が閾値Ｔｈ１より小さいという厳しい要求条件をクリアする場合のみ、受信した同一情報に対して最大比合成を行うことができる。【００７６】（本発明の第３の実施形態に係る移動通信システム）
図９及び図１０を参照して、本発明の第３の実施形態に係る移動通信システムについて説明する。以下、本実施形態に係る移動通信システムについて、上述の第１の実施形態に係る移動通信システムとの相違点を主として説明する。【００７７】  図９に示すように、本実施形態に係る移動通信システムで用いて好適な移動局ＭＳの構成は、送信タイミング差受信部１６を具備する点で、第１の実施形態に係る移動通信システム用いて好適な移動局ＭＳの構成と相違する。なお、移動局ＭＳは、受信方法指示情報受信部１１を具備するように構成されていてもよいし、受信方法指示情報受信部１１を具備しないように構成されていてもよい。【００７８】  送信タイミング差受信部１６は、複数のセル１及びセル２を介して送信された同一情報（ブロードキャストデータ又はマルチキャストデータ）を受信するための受信方法選択情報を取得するものである。【００７９】  具体的には、送信タイミング差受信部１６は、ネットワーク（無線制御装置ＲＮＣ又はその上位局）或いは基地局ＢＴＳ１及びＢＴＳ２から、複数のセル１（基地局ＢＴＳ１）及びセル２（基地局ＢＴＳ２）の送信タイミング差を受信する。【００８０】  例えば、送信タイミング差は、ブロードキャストデータ又はマルチキャストデータ（ＭＢＭＳのサービス情報）が各セルにおいて送信される時間情報（例えば、１００ｍｓや１ｓ）や、フレーム番号とタイムスロット数又はチップ数とを含むフレーム情報や、ビット数によって構成されている。【００８１】  なお、送信タイミング差受信部１６は、ネットワーク（無線制御装置ＲＮＣ又はその上位局）或いは基地局ＢＴＳ１及びＢＴＳ２から送信タイミング情報が送信されるのを待つように構成されていてもよいし、自発的にネットワーク（無線制御装置ＲＮＣ又はその上位局）或いは基地局ＢＴＳ１及びＢＴＳ２から受信方法指示情報を取得するように構成されていてもよい。【００８２】  なお、受信方法判定部１２は、上述の送信タイミング差に基づいて、受信した同一情報に対して、最大比合成を行うべきか、選択合成を行うべきか、或いは合成処理を行わないかについて判定する。【００８３】  例えば、受信方法判定部１２は、送信タイミング差が閾値Ｔｈ１より小さい場合（第１の範囲内の値である場合）、受信した同一情報に対して最大比合成を行うように判定し、送信タイミング差が閾値Ｔｈ１以上で閾値Ｔｈ２より小さい場合（第２の範囲内の値である場合）、受信した同一情報に対して選択合成を行うように判定し、その他の場合、受信した同一情報に対して合成処理を行わないように判定する。【００８４】  図１０を参照して、本実施形態に係る移動通信システムにおいて、移動局ＭＳが複数のセルを介して送信された同一情報についての受信処理を行う場合の動作を説明する。【００８５】  ステップ７０１において、ネットワーク（無線制御装置ＲＮＣ又はその上位局）或いは所定の基地局ＢＴＳ（例えば、基地局ＢＴＳ１又はＢＴＳ２であってもよいし、その他の基地局ＢＴＳであってもよい）が、所定のタイミングで、セル１（基地局ＢＴＳ１）及びセル２（基地局ＢＴＳ２）の送信タイミング差を移動局ＭＳに送信する。ネットワーク（無線制御装置ＲＮＣ又はその上位局）或いは所定の基地局ＢＴＳは、同一情報を送信する度に、上述の送信タイミング差を移動局ＭＳに送信してもよい。【００８６】  ステップ７０２において、移動局ＭＳの受信方法判定部１２が、送信タイミング差受信部１６により受信された送信タイミング差に基づいて、受信した同一情報に対して、最大比合成を行うべきか、選択合成を行うべきか、或いは合成処理を行わないべきかについて判定する。【００８７】  ステップ７０３において、移動局ＭＳの受信合成部１３が、受信方法判定部１２による判定結果に基づいて、受信した同一情報に対して、最大比合成又は選択合成を行う（或いは、合成処理を行わない）。【００８８】  本実施形態に係る移動通信システムによれば、受信合成部１３が、ネットワーク（無線制御装置ＲＮＣ又はその上位局）又は所定の基地局ＢＴＳから送信された送信タイミング差に基づいて、同一情報に対して、最大比合成又は選択合成を行う（或いは、合成処理を行わない）ため、移動局ＭＳが、セル間を移動する場合、又は、複数のセルの信号を受信可能な領域にいる場合であっても最適な情報の受信方法を選択することができる。【００８９】（本発明の第４の実施形態に係る移動通信システム）
図１１及び図１３を参照して、本発明の第４の実施形態に係る移動通信システムについて説明する。以下、本実施形態に係る移動通信システムについて、上述の実施形態に係る移動通信システムとの相違点を主として説明する。【００９０】  本実施形態に係る移動通信システムは、複数の基地局ＢＴＳ１及びＢＴＳ２を介して、移動局ＭＳに対して、マルチメディア同報・放送型通信サービス（ＭＢＭＳ）を提供するものである。【００９１】  本実施形態に係る無線制御装置ＲＮＣは、上述の受信方法選択情報として、移動局ＭＳが在圏する在圏セル（図４では、セル１）の隣接セル（ｎｅｉｇｈｂｏｒｉｎｇ  ｃｅｌｌ）（図４では、セル２）においてブロードキャストサービス又はマルチキャストサービスが提供可能であるか否かについての情報を含む制御情報を報知するように構成されている。【００９２】  図１１に示すように、無線制御装置ＲＮＣは、受信部３１と、セル管理部３２と、判断部３３と、制御情報生成部３４と、送信タイミング差測定部３５と、報知部３６とを具備している。【００９３】  受信部３１は、無線制御装置ＲＮＣの上位局から、上述のマルチメディア同報・放送型通信サービスにおけるブロードキャストサービスやマルチキャストサービスを提供するために必要な情報を取得するものである。【００９４】  例えば、ブロードキャストサービスやマルチキャストサービスを提供するために必要な情報には、ブロードキャストデータやマルチキャストデータを配信するセルに係る情報や、ブロードキャストデータやマルチキャストデータを受信する移動局ＵＥに係る情報や、ブロードキャストデータやマルチキャストデータを開始（又は、終了）する旨を示す情報等が含まれる。【００９５】  セル管理部３２は、各セルの位置関係（特に、各セル同士の隣接関係）や、各セル（各基地局ＢＴＳ）の送信タイミング情報や、各セル（各基地局ＢＴＳ）で用いられる無線チャネル（ブロードキャストコントロールチャネル（ＢＣＣＨ）やＭＢＭＳコントロールチャネル（ＭＣＣＨ）やＭＢＭＳトランスポートチャネル（ＭＴＣＨ）等）に係るチャネル情報を管理するものである。【００９６】  例えば、チャネル情報は、使用周波数や、チャネライゼーション符号（Ｃｈａｎｎｅｌｉｓａｔｉｏｎ  ｃｏｄｅ）や、スクランブリング符号（Ｓｃｒａｍｂｌｉｎｇ  ｃｏｄｅ）や、拡散符号（Ｓｐｒｅａｄｉｎｇ  ｆａｃｔｏｒ）や、送信ダイバーシチの有無や、パイロットシンボルの有無等を含む。【００９７】  判断部３３は、受信部３１によって受信された情報及びセル管理部３２によって管理されている各セルの位置情報を参照して、移動局ＭＳが在圏する在圏セル（セル１）の隣接セル（セル２等）においてブロードキャストサービス又はマルチキャストサービスが提供可能であるか否かについて判断するものである。【００９８】  例えば、判断部３３は、隣接セルにおける無線リソースに空きがあるか否か、隣接セルがブロードキャストデータやマルチキャストデータの配信セルであるか否か、隣接セルを管理する基地局ＢＴＳがＭＢＭＳを可能なソフトウエアやハードウエアを装備しているか否かに基づいて、隣接セルにおいてブロードキャストサービス又はマルチキャストサービスが���供可能であるか否かについて判断する。【００９９】  制御情報生成部３４は、判断部３３による判断結果、すなわち、上述の隣接セルにおいてブロードキャストサービス又はマルチキャストサービスが提供可能であるか否かについての情報を含む制御情報を生成するものである。【０１００】  また、制御情報生成部３４は、上述の隣接セルで用いられる無線チャネルに係るチャネル情報をさらに含む制御情報を生成するように構成されている。【０１０１】  制御情報生成部３４は、ブロードキャストサービス又はマルチキャストサービスが提供可能である上述の隣接セルに係る制御情報のみを生成するように構成されていてもよい。【０１０２】  送信タイミング差測定部３５は、ブロードキャストサービス又はマルチキャストサービスが提供可能である上述の隣接セルにおける基地局ＢＴＳの送信タイミングと上述の在圏セルにおける基地局ＢＴＳ１の送信タイミングとの差を測定するものである。【０１０３】  報知部３６は、上述の受信方法選択情報として、上述の制御情報や上述の送信タイミング差を、移動局ＭＳに対して報知するものである。【０１０４】  なお、報知部３６は、ブロードキャストサービス又はマルチキャストサービスが提供可能である上述の隣接セルに係る制御情報のみを報知するように構成されていてもよい。また、報知部３６は、既存の報知チャネルを用いて上述の情報を送信してもよいし、ＭＢＭＳ用チャネル（例えば、ＭＣＣＨやＭＴＣＨ等）を用いて上述の情報を送信してもよい。【０１０５】  図１２に示すように、本実施形態に係る移動局ＭＳは、送信タイミング差受信部１６と、制御情報受信部１７と、受信方法判定部１２と、受信合成部１３とを具備している。【０１０６】  送信タイミング差受信部１６は、受信方法選択情報として、移動局ＭＳが在圏する在圏セル（セル１）と隣接セル（セル２等）との間の送信タイミング差を受信するものである。具体的には、送信タイミング差受信部１６は、ブロードキャストサービス又はマルチキャストサービスが提供可能である隣接セル（セル２等）における基地局ＢＴＳの送信タイミングと在圏セル（セル１）における基地局ＢＴＳの送信タイミングとの差を受信する。【０１０７】  また、送信タイミング差受信部１６は、在圏セル及び隣接セルに係る送信タイミング情報を受信して、かかる送信タイミング情報から上述の送信タイミング差を測定するように構成されていてもよい。【０１０８】  制御情報受信部１７は、受信方法選択情報として、移動局ＭＳが在圏する在圏セル（セル１）の隣接セルにおいてブロードキャストサービス又はマルチキャストサービスが提供可能であるか否かについての情報や、当該隣接セルで用いられる無線チャネルに係るチャネル情報等を含む制御情報を受信するものである。【０１０９】  受信方法判定部１２は、上述の送信タイミング差及び制御情報に基づいて、受信した同一情報に対して、最大比合成を行うべきか、選択合成を行うべきか、或いは、合成処理を行わないべきかについて判定するものである。【０１１０】  例えば、受信方法判定部１２は、図１２に示すように、送信タイミング差と、移動局の処理能力と、受信方法とを関連付けるテーブルを具備するように構成されてい���。かかるテーブルにおいて、移動局の処理能力は、使用可能なメモリ容量や、復調能力等を示す。また、かかるテーブルにおいて、受信方法は、最大比合成方法や、選択合成方法や、合成を行わない方法等を含む。【０１１１】  例えば、最大比合成方法又は選択合成方法は、複数のセル（基地局ＢＴＳ）で用いられる無線チャネルの受信品質（受信電力や受信ＳＩＲや受信誤り率等）に対応する信頼度情報やチャネル推定情報を用いて最大比合成又は選択合成を行う方法である。【０１１２】  また、選択合成方法は、受信した同一情報についてのＣＲＣチェック結果に基づいて選択合成を行う方法であってもよい。【０１１３】  受信方法判定部１２は、送信タイミング差受信部１６によって受信された送信タイミング差及び現在の移動局ＭＳの処理能力に関連付けられている合成方法を、受信した同一情報についての合成方法として決定する。【０１１４】  例えば、受信方法判定部１２は、送信タイミング差が閾値Ｔｈ１より小さい場合（第１の範囲内の値である場合）、受信した同一情報に対して最大比合成を行うように判定し、送信タイミング差が閾値Ｔｈ１以上で閾値Ｔｈ２より小さい場合（第２の範囲内の値である場合）、受信した同一情報に対して選択合成を行うように判定し、その他の場合、受信した同一情報に対して合成処理を行わないように判定する。【０１１５】  なお、受信方法判定部１２は、受信電力や受信ＳＩＲや受信誤り率やＣＲＣチェック結果等の中から、事前に設定されている一部又は全部を用いた合成方法を行うように判定してもよい。【０１１６】  受信合成部１３は、受信方法判定部１２によって決定された合成方法によって、受信した同一情報に対して、最大比合成又は選択合成を行う（或いは、合成処理を行わない）ように構成されている。【０１１７】  受信合成部１３は、受信した送信タイミング差及び制御情報に係る基地局ＢＴＳによって管理されている隣接セルからのみ同一情報を受信するように構成されていてもよい。すなわち、移動局ＭＳが、隣接セル１０の基地局ＢＴＳ１０に係る送信タイミング差及び制御情報を受信しているが、隣接セル２０の基地局ＢＴＳ２０に係る送信タイミング差及び制御情報を受信していない場合、受信合成部１３は、在圏セル（セル１）及び隣接セル１０からの同一情報のみから受信合成処理を行う。【０１１８】  図１３を参照して、本実施形態に係る移動通信システムにおいて、移動局ＭＳが複数の同一情報についての受信処理を行う場合の動作を説明する。【０１１９】  ステップ１００１において、無線制御装置ＲＮＣが、所定のタイミングで、セル１（基地局ＢＴＳ１）及びセル２（基地局ＢＴＳ２）の送信タイミング差と、基地局ＢＴＳ１及びＢＴＳ２が管理するセルに係る制御情報を移動局ＭＳに送信する。無線制御装置ＲＮＣは、上述の同一情報を送信する度に、上述の送信タイミング差を移動局ＭＳに送信してもよい。【０１２０】  ステップ１００２において、移動局ＭＳの受信方法判定部１２が、送信タイミング差受信部１６により受信された送信タイミング差及び制御情報受信部１７により受信された制御情報に基づいて、受信した同一情報に対して、最大比合成を行うべきか、選択合成を行うべきか、或いは合��処理を行わないべきかについて判定する。【０１２１】  ステップ１００３において、移動局ＭＳの受信合成部１３が、受信方法判定部１２による判定結果に基づいて、受信した同一情報に対して、最大比合成又は選択合成を行う（或いは、合成処理を行わない）。【０１２２】  本実施形態に係る移動通信システムによれば、受信合成部１３が、無線制御装置ＲＮＣから送信された隣接セルに係る送信タイミング差及び制御情報に基づいて同一情報に対して最大比合成又は選択合成を行う（或いは，合成処理を行わない）ため、移動局ＭＳがセル間を移動する場合であっても、隣接セルから送信される報知情報を受信することなく、最適な情報の受信方法を選択することができる。【０１２３】（本発明の第５の実施形態に係る移動通信システム）
図１４を参照して、本発明の第５の実施形態に係る移動通信システムについて説明する。以下、本実施形態に係る移動通信システムについて、上述の実施形態に係る移動通信システムとの相違点を主として説明する。【０１２４】  本実施形態に係る無線制御装置ＲＮＣは、上述の第４の実施形態に係る無線制御装置ＲＮＣにおける送信タイミング差測定部３５の代わりに、受信方法判定部３７を具備するように構成されている。【０１２５】  受信方法判定部３７は、判断部３３による判断結果や制御情報生成部３４によって生成された制御情報やセル管理部３２において管理されている各セルの位置関係等に基づいて、移動局ＭＳにおいて、受信した同一情報についての合成方法について決定するものである。かかる決定方法は、上述の移動局ＭＳの受信方法判定部１２における決定方法と同様である。【０１２６】  報知部３６は、移動局ＭＳの在圏セルの隣接セルについての制御情報とともに、受信方法判定部３７によって決定された合成方法について移動局ＭＳに送信するように構成されている。
【産業上の利用可能性】
【０１２７】  以上説明したように、本発明によれば、ブロードキャスト通信やマルチキャスト通信において、基地局ＢＴＳの送信電力の増加又は移動局ＭＳにおける受信情報の重複又は欠損を回避するように、移動局ＭＳにおける情報の受信方法を選択することを可能とする移動通信システム、移動局及び無線制御装置を提供することができる。
【図１】
0004288264.tif 000002
【図２】
0004288264.tif 000003
【図３】
0004288264.tif 000004
【図４】
0004288264.tif 000005
【図５】
0004288264.tif 000006
【図６】
0004288264.tif 000007
【図７】
0004288264.tif 000008
【図８】
0004288264.tif 000009
【図９】
0004288264.tif 000010
【図１０】
0004288264.tif 000011
【図１１】
0004288264.tif 000012
【図１２】
0004288264.tif 000013
【図１３】
0004288264.tif 000014
【図１４】
0004288264.tif 000015